(57)【要約】【課題】尺八の音符を、目的の音符を見るために回転させる必要が無く、本体が小さくても見やすく、更に製造が簡単な早見表を提供する。【解決手段】早見表本体を，表層の板の２つの窓から、尺八の長さ及び洋名音律の音律に対応する尺八の音符を表示し、尺八の長さと尺八の音符を表示した可動板により、表層の板に記載された洋名音律に対応して表示されるような構成とした。【選択図】  図１
2006091801.tif 000002
【特許請求の範囲】
【請求項１】
尺八の音律の計算尺であって、
該計算尺は、表層の板に２つの窓を有し、一つの窓より尺八の長さを表示し、もう一方の、その周囲の一辺に洋名音律の音律が並べて記載されている窓より、前記尺八の長さを表示する窓により表示される前記尺八の長さに応じた前記洋名音律の音律に対応する尺八の音符が表示されるものであって、尺八の長さの一覧を一体として記載した部分と尺八の音符の一覧を一体として記載した部分を有する可動板が、内部で左右に移動することを特徴とする尺八の音律の計算尺。
【請求項２】
前記尺八の音律の計算尺の尺八の長さを表示している窓において、尺八の長さと共に対応する笛番が共に表示される様に、前記内部で左右に移動する板に笛番の一覧が記載されている請求項１に記載の尺八の音律の計算尺。
【請求項３】
前記尺八の音律の計算尺の表層の板において、前記洋名音律の音律に対応して和名音律の対応する音律が記載されている請求項１または請求項２に記載の尺八の音律の計算尺。
【請求項４】
前記尺八の音律の計算尺の表層の板において、前記洋名音律の音律に対応して尺八の１尺８寸管の基本音の音符が記載されている請求項１または請求項２に記載の尺八の音律の計算尺。
【請求項５】
前記尺八の音律の計算尺の表層の板において、前記洋名音律に対応して尺八の１尺６寸管の基本音の音符が記載されている請求項１または請求項２に記載の尺八の音律の計算尺。
【請求項６】
尺八の音律の計算尺であって、
該計算尺は、表層の板に２つの窓を有し、一つの窓より尺八の長さを表示し、もう一方の、その周囲の一辺に洋名音律の音律が並べて記載されている窓より、前記尺八の長さを表示する窓により表示される前記尺八の長さに応じた前記洋名音律の音律に対応する尺八の音符が表示されるものであって、尺八の長さの一覧を一体として記載した部分と尺八の音符の一覧を一体として記載した部分を有する板が、表層の板の対応する２辺の折込部分により挟持され、左右に移動することを特徴とする長方形状の尺八の音律の計算尺。
【発明の詳細な説明】
【技術分野】
【０００１】本発明は、尺八の音律の早見表であって、尺八の長さにより変化する、それぞれの音符に対応する音律を、容易に認識可能とするものである。
【背景技術】
【０００２】日本古来の楽器である尺八は、種々の長さが存在し、その長さによって同じように特定の音符を吹いても音律が異なる。また箏、三絃、洋楽器との合奏では、それぞれ、尺八の楽譜と異なった記載方法の楽譜で演奏するため、これらの楽器並びに、異なる長さの尺八と合奏するためにはそれらに合わせた音の表記を相互に理解し、認識する必要がある。そのため、熟練していない者の演奏を補助するために尺八音律早見表が用いられている。【０００３】従来の尺八音律早見表の構成は、大小２つの円板の、中心が留具で固定されて構成される。認識手段としては、小円板に設けられた窓に目的とする一の尺八の長さを表示させることで、前記尺八の長さに対応した、大円板上の目的の尺八の長さに対応する音符、基本となる１尺８寸管の尺八の音符、和名音律、笛番、洋名音律等を、それぞれ前記尺八の長さを表示する窓が位置する放射線上から読み取ることで目的の音符や音律を認識可能としている（図４）。
【発明の開示】
【発明が解決しようとする課題】
【０００４】しかしながら、上記従来の早見表では、認識したい音符の一覧が構造上同心円の円周上に並ぶため、複数の音符を認識するためには、それぞれの方向を向いた表示を認識する必要があり、よりよく認識するためには絶えず向きを修正する必要があった。また、上記従来の早見表では構造上空白部分が多くなり、記載した文字や音符の大きさに比して早見表本体を大きくせざるを得ないという問題があった。更に、上記従来の早見表では構造上中心の留具を、回転による磨耗に耐えるため、プラスチックや金属など他の部分より高い耐久性を持つ材質を使用する必要があり、このため製造が簡便でないという問題があった。【０００５】本発明はこのような実状のもとに創案されたものであって、その目的は、表記されているすべての文字が一定の方向を向いて並んでいるため、本体を見やすい方向に回転させる必要がなく、従って演奏を中断することなく目的の音符を認識でき、かつ空白部分を除去できることから早見標本体を小さくても見やすいものとし、同一の材質で製造可能なことから製造が簡単な早見表を提供することにある。
【課題を解決するための手段】
【０００６】このような課題を解決するために、本発明は、尺八の音律の早見表であって、表層の板に２つの窓を有し、一つの窓より尺八の長さを表示し、もう一方の、その周囲の一辺に洋名音律の音律が並べて記載されている窓より、前記尺八の長さを表示する窓により表示される前記尺八の長さに応じた前記洋名音律の音律に対応する尺八の音符が表示されるものであって、尺八の長さの一覧を一体として記載した部分と尺八の音符の一覧を一体として記載した部分を有する可動板が、内部で左右に移動することを特徴とし、またその尺八の長さを表示している窓において、尺八の長さと共に、対応する笛番が共に表示される様に、前記内部で左右に移動する板に笛番の一覧が記載されているものや、前記尺八の音律の早見表の表層の板において、前記洋名音律の音律に対応して和名音律の対応する音律が記載されている尺八の音律の早見表、前記尺八の音律の早見表の表層の板において、前記洋名音律の音律に対応して尺八の１尺８寸管の基本音の音符が記載されているものや、前記尺八の音律の早見表の表層の板において、前記洋名音律に対応して尺八の１尺６寸管の基本音の音符が記載されているもの、さらに別の形態として、表層の板に２つの窓を有し、一つの窓より尺八の長さを表示し、もう一方の、その周囲の一辺に洋名音律の音律が並べて記載されている窓より、前記尺八の長さを表示する窓により表示される前記尺八の長さに応じた前記洋名音律の音律に対応する尺八の音符が表示されるものであって、尺八の長さの一覧を一体として記載した部分と尺八の音符の一覧を一体として記載した部分を有する板が、表層の板の対応する２辺の折込部分により挟持され、左右に移動することを特徴とする長方形状の尺八の音律の早見表、というように構成される。
【発明の効果】
【０００７】本発明はこのような実状のもとに創案されたものであって、その目的は、認識したい音符を確認するために旱見表本体の向きを修正する必要がなく、かつ小さくても見やすく、加えて製造が簡単な早見表を提供することにある。
【発明を実施するための最良の形態】
【０００８】次に、本発明の早見表の、最良の形態について詳細に説明する。
図１は本発明の早見表の正面図であり、図２（ａ）〜（ｃ）は図１に示される早見表の分解図である。以下、構成を説明する。【０００９】図１より、本発明の早見表１は、図２表層の板１０に２つの窓である窓２及び窓３を有し、窓２より尺八の長さ部４を表示し、もう一方の窓３より尺八の音符部５が表示される様に構成される。表層の板１０の窓３の一辺に当たる部分に洋名音律部６を記載することにより、前記尺八の音符部５と前記洋名音律部６が対応し、また前記尺八の長さ部４に応じて前記洋名音律部６に対応する尺八の音符部５が対応するように、前記尺八の長さ部３の一覧が一体として記載された部分と前記尺八の音符部５の一覧が一体として記載された部分を有する内部の板（図２（ｂ）２２）が内部で左右に移動する構成とされる。【００１０】本発明の早見表１の材質は紙、セラミック、プラスチック、金属など薄板を構成できるものであればよいが、重量や価格等の点から紙やプラスチックが望ましい。また強度を確保するため、通常行われるコーティングを行っても良い。また本発明の早見表１の外形は、２つの窓（図１窓２及び窓３）を有していれば円形、楕円形、三角形などの外形でも良いが、安定性などの点から立てかけたときに下面が安定する形状であることが望ましい。前記２つの窓（図１窓２及び窓３）の形状も尺八の長さ部４及び尺八の音符部５が表示され、これらが洋名音律部６と対応するようになっていれば、形状は問わず、また尺八の長さ４及び尺八の音符５の記載方法も横一列でなく縦一列の記載方法でも良い。また図１窓２から表示される内容は、尺八の長さ部４だけでなく、対応する笛番を表示しても良い。また前記洋名音律部６はアルファベット（ドイツ、イギリス名）表記ではなくドレミ（イタリア名）表記やイロハ（日本名）表記で表示しても良い。また前記洋名音律部６と共に、前記洋名音律部６に対応するように和名音律、尺八の基準の１尺６寸管や１尺８寸管の音符を記載しても良い。【００１１】次に、本早見表を構成している部品について説明する（図２）。
図２（ａ）は本発明の早見表の表層の部品である。表層の板の部品１０に窓２及び窓３が設けられている。【００１２】図２（ｂ）は本発明の早見表の内部の部品である。内部の部品２０は外枠２１及び左右に移動が可能となっている可動板２２から構成される。外枠２１は可動番２２が左右に滑らかに稼動すること及び外に飛び出さない形状であれば、どのような形状でも良い。可動板２２は（ａ）の窓２に対応する図１の尺八の長さ部４の一覧が一体として記載された部分２３と、窓３に対応する尺八の音符部５の一覧が一体として記載された部分２４を有する。外枠２１と可動板２２の厚さは、可動板２２が左右に滑らかに可動するために、ほぼ同じ厚みか可動板２２が外枠２１よりやや薄い、もしくは外枠２１が可動板２２よりやや厚いことが望ましい。【００１３】図２（ｃ）は下部の部品である。下部の部品３０は平面状の板で良いが、吹奏中に見やすく立てるための支持部品を追加の構成としても良い。【００１４】これら図２の各部品（ａ）〜（ｃ）を（ｂ）の外枠２１を間に介して接着することにより、本発明の早見表が構成される。【００１５】本発明の第２の実施形態
本発明の早見表は、図２に示したような３層構造にするほか、図３のように表層の板の部品４１の上下若しくは左右を折り込み、可動板４２を左右に可動するように前記折り込み部分４３で挟持させる２層構造とすることも出来る。
【実施例】
【００１６】以下、具体的実施例を示し、本発明をさらに詳細に説明する。
表層の板状部分として厚さ０．５ｍｍの紙（商品名  Ａカード＃２５０、北越製紙社製）に、縦３１ｍｍ、横８６ｍｍの部分に窓に表示される尺八の笛番を補助するための「本」の文字を、縦１８ｍｍ、横８６ｍｍの部分に窓から表示される尺八の長さを補助するための「尺寸」の文字を印刷し、また縦４１ｍｍ、横１０ｍｍの部分から和名音律、縦７０ｍｍ、横１０ｍｍの部分から洋名音律、次いで洋名音律の下段に並行するように１尺８寸管の尺八における音符をさらに１尺８寸管における音符の下段に並行するように１尺６寸管の尺八の音符を印刷し、縦９４ｍｍ、横１５８ｍｍの長方形状にカッターナイフで切断した。【００１７】次いで、縦１７．５ｍｍ、横７９．５ｍｍの箇所を左上角とする縦１９．５ｍｍ、横５ｍｍの長方形の窓および縦５０ｍｍ、横１０ｍｍの箇所を左上角とする縦２０ｍｍ、横１３８ｍｍの長方形の窓をカッターナイフでくり抜いて、上記長方形状の表面にカバーシール（商品名  カバースル、株式会社デビカ社製）を貼り、二カ所の窓の紙と接着されていない部分はそれぞれの窓の長方形の対角線にカバーシールにカッターナイフで切れ目を入れ、表層の板の裏側に折り返して貼り付け、表層の板状部分を作成した。【００１８】次に内部の可動板として、厚さ０．５ｍｍの紙（商品名  Ａカード＃２５０、北越製紙社製）に、左上角から縦３．５ｍｍ、横１１ｍｍの箇所から横書きに尺八の長さの一覧を、左上角から縦１６．５ｍｍ、横１１ｍｍの箇所から横書きに笛番を、左上角から縦３６ｍｍ、横５ｍｍの箇所から尺八の音符が表示されるように配置して印刷し、縦６１ｍｍ、横７９ｍｍの長方形状にカッターナイフで切断した。次いで可動板にカバーシール（商品名  カバースル、株式会社デビカ社製）を貼り付け、可動板を作成した。【００１９】次に可動板の外枠として、厚さ１ｍｍのボール紙を縦９４ｍｍ、横１５８ｍｍの長方形状にカッターナイフで切断し、その内側に左上角から縦５ｍｍ、横１０ｍｍの箇所から縦６１ｍｍ、横１３８ｍｍの長方形をカッターナイフでくり抜いた。【００２０】次に裏面の板として、厚さ０．５ｍｍの紙（商品名  Ａカード＃２５０、北越製紙社製）を縦９４ｍｍ、横１５８ｍｍの長方形になるように切断した。【００２１】表層の板と裏面の板に挟まれる外枠がはみ出さず、その内側で可動板が動くようにスティックのり（商品名  消えいろピットーＮ、トンボ鉛筆社製）で固定した。【００２２】最後に裏面にカバーシール（商品名  カバースル、株式会社デビカ社製）を貼り補強した。
【図面の簡単な説明】
【図１】 
【００２３】図１は、本発明の早見表の正面図である。【図２】 
【００２４】図２（ａ）〜（ｃ）は、図１の早見表の分解図である。図２中（ａ）は表層の板の正面図，（ｂ）は内部可動板及び可動板防止のための外枠の正面図，（ｃ）は底面の板の正面図である。【図３】 
【００２５】図３は本発明の早見表の第二の形態の斜視図である。【図４】 
【００２６】図４は従来の早見表の正面図である。
【符号の説明】
【００２７】１…本発明の早見表
１０…本発明の早見表の表層
２０…本発明の早見表の内部層外枠
２２…本発明の早見表の内部層可動板
３０…本発明の早見表の底面
【図１】
2006091801.tif 000003
【図２】
2006091801.tif 000004
【図３】
2006091801.tif 000005
【図４】
2006091801.tif 000006
【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
尺八の音律の早見表であって、
該早見表は、表層の板に２つの窓を有し、一つの窓より尺八の長さを表示し、もう一方の、その周囲の一辺に洋名音律の音律が並べて記載されている窓より、前記尺八の長さを表示する窓により表示される前記尺八の長さに応じた前記洋名音律の音律に対応する尺八の音符が表示されるものであって、尺八の長さの一覧を一体として記載した部分と尺八の音符の一覧を一体として記載した部分を有する可動板が、内部で左右に移動することを特徴とする尺八の音律の早見表。
【請求項２】
前記尺八の音律の早見表の尺八の長さを表示している窓において、尺八の長さと共に対応する笛番が共に表示される様に、前記内部で左右に移動する板に笛番の一覧が記載されている請求項１に記載の尺八の音律の早見表。
【請求項３】
前記尺八の音律の早見表の表層の板において、前記洋名音律の音律に対応して和名音律の対応する音律が記載されている請求項１または請求項２に記載の尺八の音律の早見表。
【請求項４】
前記尺八の音律の早見表の表層の板において、前記洋名音律の音律に対応して尺八の１尺８寸管の基本音の音符が記載されている請求項１または請求項２に記載の尺八の音律の早見表。
【請求項５】
前記尺八の音律の早見表の表層の板において、前記洋名音律に対応して尺八の１尺６寸管の基本音の音符が記載されている請求項１または請求項２に記載の尺八の音律の早見表。
【請求項６】
尺八の音律の早見表であって、
該早見表は、表層の板に２つの窓を有し、一つの窓より尺八の長さを表示し、もう一方の、その周囲の一辺に洋名音律の音律が並べて記載されている窓より、前記尺八の長さを表示する窓により表示される前記尺八の長さに応じた前記洋名音律の音律に対応する尺八の音符が表示されるものであって、尺八の長さの一覧を一体として記載した部分と尺八の音符の一覧を一体として記載した部分を有する板が、表層の板の対応する２辺の折込部分により挟持され、左右に移動することを特徴とする長方形状の尺八の音律の早見表。